(57)【要約】【課題】柱や床に固定しなくても、地震の際に転倒を防止する転倒防止機構を備えたアップライトピアノを提供する。【解決手段】キャスター３は、支持具３０を嵌挿可能な取付孔を妻土台の底面に設け、この取付孔に支持具３０を嵌挿してアップライトピアノに固定される。このキャスター３を取り付けたアップライトピアノは、アップライトピアノを支持するキャスター３に地震による揺れを吸収する油３２が備えられており、この油３２を介して車輪３１ｂに支持されているので、地震が来ても油３２で揺れが吸収され、ピアノの本体が転倒することを防止することができる。従って、このキャスター３を取り付けたアップライトピアノは、柱や床に固定しなくても、地震の際に転倒を防止することができる。【選択図】図２
2012073503.tif 000002
【特許請求の範囲】
【請求項１】
ピアノの本体と、
該本体の底面に取り付けられ、前記本体を支える複数のキャスターと
を備えるアップライトピアノにおいて、
前記キャスターは、
前記本体を支持する支持部と、
地震による揺れを吸収する吸収手段と、
該吸収手段を介して、前記支持部を支持する車輪部と
を備えることを特徴とするアップライトピアノ。
【請求項２】
請求項１に記載のアップライトピアノにおいて、
前記車輪部は、車台と、該車台の一端に回転可能に取り付けられ、前記車台を支持する車輪とを備え、
前記支持部は、前記車台の他端を挿入可能な挿入空間を備え、
該挿入空間内で前記車台の他端が前記吸収手段を介して前記支持部を支持することを特徴とするアップライトピアノ。
【請求項３】
請求項１，２に記載のアップライトピアノにおいて、
前記吸収手段は、オイル、空気、ゴム、スプリング、ゲル状物質であることを特徴とするアップライトピアノ。
【発明の詳細な説明】
【技術分野】
【０００１】
本発明は、転倒防止機構を備えたアップライトピアノに関する。
【背景技術】
【０００２】
従来、アップライトピアノが地震の際に転倒することを防止するため、アップライトピアノを柱や床に金具で固定するなどの措置がとられていた。
【発明の概要】
【発明が解決しようとする課題】
【０００３】
しかし、家屋の構造上、そもそも柱や床に固定できない可能性があり、一般家庭では、柱や床に固定する方法での転倒防止対策を取ることが難しかった。
そこで本発明は、柱や床に固定しなくても、地震の際に転倒を防止する転倒防止機構を備えたアップライトピアノを提供することを目的とする。
【課題を解決するための手段】
【０００４】
上記目的を達成する本発明のアップライトピアノは、ピアノの本体と、該本体の底面に取り付けられ、前記本体を支える複数のキャスターとを備えるアップライトピアノにおいて、前記キャスターは、前記本体を支持する支持部と、地震による揺れを吸収する吸収手段と、該吸収手段を介して、前記支持部を支持する車輪部とを備えることを特徴とする。
【０００５】
本発明のアップライトによれば、アップライトピアノを支持するキャスターに地震による揺れを吸収する吸収手段が取り付けられており、この吸収手段を介して車輪に支持されているので、地震が来ても吸収手段で揺れが吸収され、ピアノの本体が転倒することを防止することができる。
【０００６】
従って、本発明のアップライトピアノによれば、柱や床に固定しなくても、地震の際に転倒を防止することができる。
尚、ピアノの本体には、妻土台をも含む。
【０００７】
次に、請求項２に記載したように、請求項１に記載のアップライトピアノにおいて、前記車輪部は、車台と、該車台の一端に回転可能に取り付けられ、前記車台を支持する車輪とを備え、前記支持部は、前記車台の他端を挿入可能な挿入空間を備え、該挿入空間内で前記車台の他端が前記吸収手段を介して前記支持部を支持する構成としてもよい。
【０００８】
このようにすると、ピアノから車輪に重量が伝わる経路が、支持部内の挿入空間を介する構造、すなわち、外部構造に一切依存せずに振動を吸収する内部完結型の構造となるので、本発明のキャスターを単にピアノの本体に取り付けるだけで、地震の際に転倒を防止することができる。
【０００９】
尚、請求項３に記載したように、吸収手段としては、オイル、空気、ゴム、スプリング、ゲル状物質などを用いることが考えられる。
【図面の簡単な説明】
【００１０】
【図１】本実施形態のアップライトピアノの左側面図である。
【図２】キャスターの斜視図である。
【図３】キャスターに内部構造を説明するための模式図である。
【図４】キャスターに内部構造を説明するための模式図で、他の実施形態について説明する図面である。
【発明を実施するための形態】
【００１１】
以下に本発明の実施形態を図面と共に説明する。
本実施形態のアップライトピアノ１は、図１に示すように、複数のキャスター３を備えている（尚、図１中のＷは壁、Ｆは床で、図１では、壁にアップライトピアノ１の裏面を当てた状態で配置した例について示している）。
【００１２】
これらキャスター３は、アップライトピアノ１の本体１０の底面の後方側（非演奏者側）と、妻土台１１の底面の前方側（演奏者側）に取り付けられ、各キャスター３は同一構成となっている。
【００１３】
以下では、代表して、妻土台１１に取り付けられたキャスター３について説明する。
キャスター３は、図２（ａ）に示すように、円筒形状に形成された支持具３０と、車輪部３１とを備えている。
【００１４】
このうち車輪部３１は、車台３１ａと、車輪３１ｂとからなり、車輪３１ｂは、車台３１ａの一端に回転可能に取り付けられ、車台３１ａを支持している。車台３１ａは、他端側が支持具３０内に挿入されている。
【００１５】
支持具３０は、図２（ｂ）に示すように、車台３１ａの他端側の先端３１ａａが上下方向に移動可能な挿入空間３０ａが形成されており、その挿入空間３０ａには、振動吸収用の油３２が注入されている。
【００１６】
車台３１ａの他端側の先端３１ａａは、地震による振動を吸収するため、この支持具３０内に注入された油３２の抵抗を受け易いように、水平断面が、挿入空間３０の水平断面に沿った形状に形成されている。
【００１７】
このように形成されたキャスター３は、図３に示すように、支持具３０を嵌挿可能な取付孔１１ａを妻土台１１の底面に設け、この取付孔１１ａに支持具３０を嵌挿してアップライトピアノ１に固定される。
【００１８】
以上のように構成されたキャスター３を備えるアップライトピアノ１は、アップライトピアノ１を支持するキャスター３に、地震による揺れを吸収する油３２が備えられており、この油３２を介して車輪３１ｂに支持される。
【００１９】
そのため、本実施形態のアップライトピアノ１は、地震の揺れを受けても、車台３１ａの他端側の先端３１ａａが挿入空間３０ａ内の油３２の抵抗を受けながら、挿入空間３０ａ内を移動することで地震の揺れが吸収され、本体１０に伝わる揺れが抑えられるので、本体１０が転倒することを防止することができる。
【００２０】
従って、本実施形態のアップライトピアノ１によれば、柱や床に固定しなくても、地震の際に転倒を防止することができる。
また、本実施形態のアップライトピアノ１は、ピアノの本体１０から車輪３１ｂに重量が伝わる経路が、支持具３０内の挿入空間３０ａを介する構造、すなわち、外部構造に一切依存せずに振動を吸収する内部完結型の構造となるので、キャスター３を単にピアノの本体１０に取り付けるだけで、地震の際に転倒を防止することができる。
【００２１】
（その他の実施形態）
上述した実施形態では、地震の震動を吸収する構成として油３２を用いたが、この油３２に替えて、空気を挿入空間３０ａ内に注入してもよいし、図４（ａ）に示すように、車台３１ａの一端の支持具３０の挿入空間３０ａ内の天面との間にゴム材料３２ａや、図４（ｂ）に示すように、スプリング３２ｂを取り付けるようにしてもよい。
【００２２】
また、キャスター３は、アップライトピアノ１に対して着脱可能に構成してもよい。
さらに、キャスター３は、一定以上の振動を受けないと、地震の震動を吸収しない構造としてもよい。
【００２３】
特許請求の範囲に記載された支持部は、上述の実施形態に示された支持具３０に限定されるものではない。
また、吸収手段は、油３２や空気、ゴム材料３２ａやスプリング３２ｂの他に、地震の揺れを吸収できる素材、例えばゲル状物質等どのような物でも良い。
【００２４】
また、本発明は、特許請求の範囲に記載された発明の趣旨に合致するものであればよく、上述の実施形態に限定されるものではない。
【符号の説明】
【００２５】
１…アップライトピアノ、３…キャスター、１０…本体、１１…妻土台、１１ａ…取付孔、３０…支持具、３０ａ…挿入空間、３１…車輪部、３１ａ…車台、３１ｂ…車輪、３２…油、３２ａ…ゴム材料、３２ｂ…スプリング。
【図１】
2012073503.tif 000003
【図２】
2012073503.tif 000004
【図３】
2012073503.tif 000005
【図４】
2012073503.tif 000006